(57)【要約】【課題】接続される複数の電子装置間での電源供給が相互に融通し合えて、それぞれの電源が長持ちできる電子装置および電子装置システムを提供する。【解決手段】本発明は、装置駆動用の電源を備える電子装置であって、他装置を接続する接続手段と、自己装置の電源の容量に関する情報を検出する検出手段と、接続手段から他装置の電源の容量に関する情報を取得する取得手段と、検出手段および取得手段から得た情報を比較した結果に基づき、接続手段を介し、自己装置から他装置、他装置から自己装置の少なくともいずれかの向きに電源供給を行うよう制御すると共に、当該制御に関する制御情報を接続手段に送出するよう制御する制御手段と、を備えて構成される。【選択図】図１
2008165818.tif 000002
【特許請求の範囲】
【請求項１】
それぞれが独立した電源を備える複数の電子装置を電気的に接続して構成される電子装置給電システムにおいて、
第１装置および第２装置は、それぞれの電源の残量を検出する検出手段と、
前記第１装置は、
前記検出手段の結果を前記第１装置が取得する手段と、
前記第１装置から前記第２装置へ充電を行う手段と、
使用中のアプリケーションを検出する手段と、
前記電源の残量の割合を算出する手段と、
該算出した残量の割合が所定の値よりも小さい場合には、前記検出したアプリケーションに応じて前記第２装置に対する充電を行わないよう制御する制御手段と、
を備えることを特徴とする電子装置給電システム。
【請求項２】
前記制御手段は、
前記前記検出したアプリケーションに応じて前記所定の値を変更すること
を特徴とする請求項１に記載の電子装置給電システム。
【請求項３】
前記検出したアプリケーションの消費電力がより大きい場合には、
前記所定の値をより小さくすることを特徴とする請求項２に記載の電子装置給電システム。
【請求項４】
それぞれが独立した電源を備える複数の電子装置を電気的に接続して構成される電子装置給電システムにおける給電方法において、
第１装置および第２装置がそれぞれの電源の残量を検出する検出ステップと、
前記検出手段の結果を前記第１装置が取得するステップと、
前記第１装置から前記第２装置へ充電を行うステップと、
使用中のアプリケーションを検出するステップと、
前記電源の残量の割合を算出するステップと、
該算出した残量の割合が所定の値よりも小さい場合には、前記検出したアプリケーションに応じて前記第２装置に対する充電を行わないよう制御するステップと、
を含むことを特徴とする給電方法。
【発明の詳細な説明】
【技術分野】
【０００１】
本発明は、パソコンや携帯端末などの電源を搭載する電子装置にかかり、より詳細には、他の電子装置と接続させて電源(バッテリー)の供給を行うことができる電子装置給電システムおよび給電方法に関するものである。
【背景技術】
【０００２】
電源(電池)を内蔵する電子装置(自己装置)があって、同じく電池を内蔵する外部機器(他装置)をこの自己装置に接続し、互いの電池をそれぞれの装置で用いる例としては、特開平１０−１３８９４号公報がある。ここでは、外部電源を内蔵した複数種の外部ユニットを用意し、使用目的や使用環境に応じ、ユーザが任意に選択して、無線呼出受信機へこの外部ユニットを実装することができる発明について記載されている。
【特許文献１】特開平１０−１３８９４号公報
【発明の開示】
【発明が解決しようとする課題】
【０００３】
この特許文献１の発明では、無線呼出受信機(自己装置)が備える電池と、実装置される外部ユニット(他装置)が備える電池とのふたつの電池があって、電池の消費が多い振動報知を自己装置が行う場合には、外部ユニット(他装置)の電池によって自己装置に電源供給してそれを行うので、自己装置の電池は消費電力が軽減されて、その使用時間を延長させることができる。
【０００４】
しかしながら、この発明では、他装置の電池が消費されて自己装置の電池が単に長持ちするだけであって、自己装置および他装置の両方それぞれが持つ電池を、互いに長持ちさせるということはできない、という問題点があった。
【０００５】
そこで、本発明は、上記の問題点に鑑みてなされたものであり、電源を搭載した複数の装置を接続して、それら装置間で電源供給が相互に融通し合えて、それぞれの電源を長持ちさせることができる電子装置システムおよび給電方法を提供することを目的としている。
【課題を解決するための手段】
【０００６】
本発明による電子装置給電システムおよび給電方法は、上記目的を達成するために、次のような手段を有する。
【０００７】
本発明は、それぞれが独立した電源を備える複数の電子装置を電気的に接続して構成される電子装置給電システムにおいて、第１装置および第２装置は、それぞれの電源の残量を検出する検出手段と、前記第１装置は、前記検出手段の結果を前記第１装置が取得する手段と、前記第１装置から前記第２装置へ充電を行う手段と、使用中のアプリケーションを検出する手段と、前記電源の残量の割合を算出する手段と、該算出した残量の割合が所定の値よりも小さい場合には、前記検出したアプリケーションに応じて前記第２装置に対する充電を行わないよう制御する制御手段と、を備えることを特徴とする。
【０００８】
そして、前記制御手段は、前記前記検出したアプリケーションに応じて前記所定の値を変更することとしてもよい。
【０００９】
さらに、前記検出したアプリケーションの消費電力がより大きい場合には、前記所定の値をより小さくすることとしてもよい。
【００１０】
また、本発明の別の形態は、それぞれが独立した電源を備える複数の電子装置を電気的に接続して構成される電子装置給電システムにおける給電方法において、第１装置および第２装置がそれぞれの電源の残量を検出する検出ステップと、前記検出手段の結果を前記第１装置が取得するステップと、前記第１装置から前記第２装置へ充電を行うステップと、使用中のアプリケーションを検出するステップと、前記電源の残量の割合を算出するステップと、該算出した残量の割合が所定の値よりも小さい場合には、前記検出したアプリケーションに応じて前記第２装置に対する充電を行わないよう制御するステップと、を含むことを特徴とする。
【発明の効果】
【００１１】
本発明の電子装置および電子装置システムによれば、電源を搭載した複数の電子装置を接続して、それら装置間で電源供給を相互に融通し合うことができ、それぞれの装置の電源を長持ちさせることができる。
【発明を実施するための最良の形態】
【００１２】
以下、本発明の実施の形態を、実施例１〜３に基づき、図面１〜４を参照して説明する。  
【００１３】
図１は本発明の第１の実施例である。図１(１)は本発明の電子装置およびシステムの構成を示すブロック図であって、電子装置としての携帯電話機１００と携帯端末２００とを含み、図１(２)は携帯電話機が相手からの給電に切り替えた際の情報表示の一例を示す図である。また、図２は、図１に示した電子装置とその給電システムの制御動作にかかわるフローチャートである。そして、図３は本発明の第２の実施例であって、(１)は装置Ａ−装置Ｂの構成を示し、(２)は装置Ａと装置Ｂとの給電の様子の一例を示す。さらに、図４は本発明の第３の実施例であって、(１)はノート型のパソコン(装置Ａ)−外部無線端末(装置Ｂ)の構成を示し、(２)は給電(充電)方法の一例を、(３)は給電(充電)方法の別の例を、それぞれ示す。
【００１４】
図１において、電子装置としては、携帯電話機１００(装置Ａ)と携帯端末２００(装置Ｂ)との２装置(装置Ａ−装置Ｂ)が示されており、これらの携帯電話機１００と携帯端末２００とは接続手段を介して接続連携がなされている。  
【００１５】
ここでの携帯電話機１００は、自己装置１００に電力を供給する電池１１と、この電池１１の出力電圧をアナログからデジタルにＡ／Ｄ変換するためのＡ／Ｄ変換部１２と、このＡ／Ｄ変換部１２から出力される電圧値を監視する主制御部１３と、を備える。また、携帯電話機１００は、主制御部１３によって制御がなされる電源制御部１４を備え、携帯端末２００に電力を供給するために搭載している電池２１の給電を切り替えることにより、電池２１から携帯電話機１００に電源を供給できる。
【００１６】
そして、携帯電話機１００は、主制御部１３により制御がなされる表示部１５を備え、ここに給電状態および給電中の電池の残量を表示することができる。図１(２)はその表示の一例を示す図であり、表示４１は電池マークであって給電中の電池の残量を示し、表示４２は「接続中の携帯端末２００から給電中」であることを示す。
【００１７】
ここでの情報表示にあたっては、携帯電話機１００の電池１１からの給電の場合では表示しないように設定することもできる。また、給電中の電池の低電圧表示を行ってもよい。
【００１８】
携帯電話機１００(装置Ａ)に接続される携帯端末２００(装置Ｂ)においても、装置Ａと同様の構成をなしており、電力を供給するための電池２１、Ａ／Ｄ変換部２２、主制御部２３、電源制御部２４、表示部２５を備える。  
【００１９】
接続される二つの装置である携帯電話機１００(装置Ａ)と携帯端末２００(装置Ｂ)とは、例えば、着脱可能な１２芯ケーブルなどによるインタフェースによる接続手段３０を介することで両装置の接続連携がなされ、それぞれの装置において、インタフェースを制御するための接続制御部１６(装置Ａ)と２６(装置Ｂ)とを備える。また、接続手段３０では、携帯電話機１００(装置Ａ)から携帯端末２００(装置Ｂ)へと電源を供給するための信号線３１(ＰＳ Ｖ+)と、携帯端末２００(装置Ｂ)から携帯電話機１００(装置Ａ)へと電源を供給するための信号線３２(ＴＥ Ｖ+)と、を備える。
【００２０】
次に、図２のフローチャートによって、本発明の第１の実施例による電子装置および給電システムについて、その電源制御処理の動作について説明する。  
【００２１】
ステップＳ１では電池電圧監視処理を行い、携帯電話機１００(装置Ａ)のＡ／Ｄ変換部１２から出力される電圧値を、主制御部１３において監視して、電池の容量を検出する。
【００２２】
次のステップＳ２では電池残量表示処理を行い、携帯電話機１００(装置Ａ)の主制御部１３は、表示部１５を用いて電池残量表示および給電状態の表示処理を行う。
【００２３】
ステップＳ３では、携帯電話機１００(装置Ａ)と携帯端末２００(装置Ｂ)との接続が確立されているかどうかが判断される。ここで、携帯電話機１００(装置Ａ)の主制御部１３は、インタフェースを制御する接続制御部１６によって、携帯端末２００(装置Ｂ)の接続を判断する。そして、携帯端末２００(装置Ｂ)が接続されていると判断されたら、ステップＳ４へと進む。  
【００２４】
ステップＳ４では、電池残量データ通知処理を行う。携帯電話機１００(装置Ａ)のＡ／Ｄ変換部１２から出力される電圧値を主制御部１３において換算して電池残量データを取得して、そのデータを接続制御部１６とインタフェース３０によって、携帯端末２００(装置Ｂ)に通知する。すなわち、電池容量を検出して、接続手段を通して、この検出結果を送出する。  
【００２５】
また、ステップＳ３において携帯端末２００(装置Ｂ)との接続がなされてないと判断されたときは、なにもしないでステップＳ５へと進む。  
【００２６】
ステップＳ５では、携帯電話機１００(装置Ａ)の電池残量を判定する。携帯電話機１００(装置Ａ)の主制御部１３は、Ａ／Ｄ変換部１２から出力される電圧値を、主制御部１３において電池残量に換算した電池残量データが、携帯電話機１００(装置Ａ)内に設定された動作閾値電圧の低電圧値を判断し、低電圧値以下であれば、ステップＳ６に進む。  
【００２７】
続くステップＳ６では、電池残量低下表示処理を行い、主制御部１３は表示部１５によって電池残量の低下を表示する。  
【００２８】
ステップＳ７では、携帯端末２００(装置Ｂ)の電池残量を判定する。ここでは、インタフェース３０により携帯電話機１００(装置Ａ)と接続されている携帯端末２００(装置Ｂ)から、電源ＯＮの後、図２のフローチャートに従うステップＳ４までの処理と同様に、一定時間毎に携帯端末２００(装置Ｂ)の電池残量データが携帯電話機１００(装置Ａ)に通知(送出)されてくる。この携帯端末２００(装置Ｂ)の電池残量データに基づき、ステップＳ５と同様にして、携帯端末２００(装置Ｂ)の動作閾値電圧の低電圧値を判断し、
低電圧値(最小値)以下であるなら、次のステップＳ８へと進む。  
【００２９】
ステップＳ８では、給電切り替えに関する処理を行う。電源制御部１４は、主制御部１３からの給電切り換え指示を受けることにより、携帯電話機１００(装置Ａ)の電池１１からインタフェース３０の信号線であるＴＥ Ｖ＋(３１)からの給電経路に切り替える。
【００３０】
ステップＳ９では、携帯端末２００(装置Ｂ)の電池残量の表示と、給電切り替え表示処理を行う。接続されている携帯端末２００(装置Ｂ)から携帯電話機１００(装置Ａ)に通知された電池残量データに得ることによって、主制御部１３は、表示部１５の画面上で情報の通知を行い、少なくとも、携帯端末２００(装置Ｂ)の電池残量表示および携帯電話機１００(装置Ａ)から給電を開始したことについての給電状態表示を行う。
【００３１】
ここで前のステップＳ５に戻るとして、このステップＳ５において、携帯電話機１００(装置Ａ)の電池残量データが、予め携帯電話機１００(装置Ａ)の動作閾値電圧の低電圧値を判断して、それが低電圧(最小値以上)であった場合には、その後の電源制御に関する処理は行われず、そのまま終了となる。  
【００３２】
また、前のステップＳ７において、携帯電話機１００(装置Ａ)に接続されている携帯端末２００(装置Ｂ)から通知された電源残量データを判断して、それが携帯電話機１００(装置Ａ)の動作閾値電圧が低電圧値(最小値)以下であった場合にも、その後の給電経路切り替え処理などは行われず、そのまま終了となる。
【００３３】
以上のように、携帯電話機１００(装置Ａ)の側の電池残量が低電圧以下になった場合は、この携帯電話機１００(装置Ａ)にインタフェースなどにより接続されている携帯端末２００(装置Ｂ)からの給電に切り替えることができる。よって、携帯電話機１００(装置Ａ)自体が電池切れで使用不可能となったり、使用機能が制限されたりすることがないし、使い勝手が大変良く、それらの給電は極めて効率的でスムーズに実行される電子装置が得られる。  
【００３４】
また、携帯電話機１００(装置Ａ)が、携帯端末２００(装置Ｂ)からの給電に切り替えた場合、携帯電話機１００(装置Ａ)の主制御部１３の指示により、表示部１５において携帯端末(Ｂ)からの給電であることを表示し(表示例４２)、携帯端末２００(装置Ｂ)の電池残量表示(表示例４１)を行うことにより、ユーザらは電源(バッテリー)に関しての現在の状態を明確に把握することができる。
【００３５】
このように、図１と図２に示した第１の実施例によれば、各々が独立した電源(電池)を持った独立した電子装置を２つ以上接続して連携させることによって、極めて容易に効率的な相互給電システムを形成することができる。このシステムによれば、互いの装置は電池情報を交換しあって、残りの電流を均衡させながら電池を消費させることができ、結果的に長時間に渡って使用できる電子装置給電システムを提供することがてきる。
【００３６】
さてここからは、図３を参照して、本発明の第２の実施例について説明する。図３(１)では、電子装置給電システムＳ１は、装置Ａと装置Ｂとを含み、装置Ａと装置Ｂとは接続手段によって接続連携がなされる。  
【００３７】
ここでの装置Ａは、自らの持つ電源(電池)の残り容量(残量)を検出する手段と、装置Ｂと通信接続を行う通信接続手段と、接続された装置Ｂに対して給電を行う給電手段と、装置Ｂに対して給電を行うか行わないかを選択する制御手段と、を有する。
【００３８】
装置Ａと接続する装置Ｂは、自らの電源(電池)の残り容量(残量)を検出する手段と、他の装置Ａと通信接続を行う通信接続手段と、接続された装置Ａから給電を受ける手段とを備え、また、装置Ａから給電を受けている場合は装置Ａの電池を外部電源として使用し、装置Ａからの給電を受けていない場合は、装置Ｂがもつ電池を電源とする、という電源選択手段を持つ。
【００３９】
そして、装置Ｂと装置Ａとは通信接続手段を用いて通信を行い、装置Ａは、装置Ｂから得た装置Ｂの電池の残り容量と、装置Ａが持つ電池電源の残り容量とを比較する。例えば、各装置の残り容量についての情報として、各装置が自装置内の電池によって、あとどれだけ稼動できるかの概算を行い、この稼動可能時間を用いる。
【００４０】
つまり、装置Ａの電池による装置Ａの稼動可能時間の方が、装置Ｂの電池による装置Ｂの稼動可能時間より長いと判断した場合には、装置Ａ(自己装置)の装置Ｂ(他装置)に対して行う給電手段を有効にすることにより、装置Ｂ(他装置)に対して給電を行い、逆に、装置Ａの電池による装置Ａの稼動可能時間の方が、装置Ｂの電池による装置Ｂの稼動可能時間より短いと判断した場合には、装置Ａ(自己装置)の装置Ｂ(他装置)に対して行う給電手段を無効にする制御を行う。
【００４１】
図３(２)は、本発明の第２の実施例に基づき、装置Ａから装置Ｂへの給電の様子を段階別(Ｉ〜VI)に示す図であり、横軸を時間軸(時点)として、装置(ＡとＢ)の電池容量は変化グラフにより示される。この図における機器使用時間比較手段とは、装置Ａの電池による装置Ａの稼動可能時間と、装置Ｂの電池による装置Ｂの稼動可能時間と、を比較する手段であって、装置Ａの稼動可能時間が装置Ｂより長い時には「Ａ」、装置Ｂの稼動可能時間が装置Ａより長い時には「Ｂ」として示している。  
【００４２】
図３(２)の最も左側に位置する段階Ｉにおいては、機器使用時間比較手段「Ａ」、ＡからＢへの給電状態「あり」、Ｂの外部／内部電源状態「外部」、Ａの電池容量(グラフ図)、Ｂの電池容量(グラフ図)、と示されており、つづいて時間が経過した段階IIにおいては、機器使用時間比較手段「Ｂ」、ＡからＢへの給電状態「なし」、Ｂの外部／内部電源状態「内部」、Ａの電池容量(グラフ図)、Ｂの電池容量(グラフ図)、のように示されている。
【００４３】
この図３(２)でも明らかなように、装置Ｂの電池の残り容量が、装置Ａの電池の残り容量よりも多い場合には、装置Ｂは装置Ｂの持つ電池を電源として用いることができる。  
【００４４】
逆に、装置Ｂの電池の残り容量が、装置Ａの電池の残り容量よりも少ない場合には、装置Ｂは装置Ａの持つ電池を電源として用いることとなる。  
【００４５】
このような給電システムを構築することにより、少なくとも装置Ｂは装置Ａよりも装置の動作時間を長くするよう制御することができるし、装置Ｂと装置Ａとの動作残り時間を均衡させるように給電を制御することもできる。また、装置Ａと装置Ｂの電池を均等に消費させることが可能となるので、システム全体の使用時間を延ばすことができる。  
【００４６】
さらにまた、本発明によって、２つの電子装置からなる接続システムを構成するとき、装置Ａの構成と装置Ｂの構成を併せ持つ二つの装置、装置Ｃと装置Ｄとでシステムを構成するなら、使用時間または残り時間を均衡させるように制御することにより、二つのシステムの時間を均衡させることができ、結果的には、効率的で長時間動作が可能な電子装置給電システムを提供することができる。
【００４７】
さてここからは、図４を参照して、本発明の第３の実施例について説明する。図４(１)は、ノート型のパソコン(ノートパソコン)３００(装置Ａ)と外部無線端末４００(装置Ｂ)とをＵＳＢ(Universal Serial Bus)接続してシステム構成した例を示す。また、図４(２)は、横軸を時間軸として、装置Ａ−装置Ｂ間での給電(充電)に伴ない、装置Ａと装置Ｂそれぞれの電池残量の変化(％)を示す図であり、図４(３)は同じくその別の例を示す図である。
【００４８】
ノートタイプあるいはポータブルタイプのパソコン３００(装置Ａ)があって、このパソコン３００(装置Ａ)に、外付け用の外部機器としての外部無線端末４００(装置Ｂ)を、ＵＳＢ接続を用いて相互に接続したシステムを形成する。このシステムでは、外部無線端末４００(装置Ｂ)は、ＵＳＢを経由してパソコン３００(装置Ａ)の電池の充電状況(電池残量とＡＣアダプター接続)、使用アプリケーションの情報を、メッセージとして受け取ることができる。この場合のメッセージのやり取りは、パソコン３００(装置Ａ)、外部無線端末４００(装置Ｂ)それぞれのデバイスドライバーが行い、アプリケーションなどに影響を及ぼすことはない。
【００４９】
この本発明の第３の実施例において、以下のような電池充電に関する制御を行うことができる。  
Ｉ)パソコン３００(装置Ａ)がＡＣアダプターと接続されている場合  
無条件に外部無線端末４００(装置Ｂ)に充電を行う。外部無線端末４００(装置Ｂ)もＡＣ接続されている場合もあるが、通常の充電では、通信に必要な電力をまかなえない場合もあるため、パソコン３００(装置Ａ)がＡＣアダプターと接続されている場合は無条件に行う。また、外部無線端末４００(装置Ｂ)がＡＣ接続されていない場合にも、パソコン３００(装置Ａ)は充電が空にならないので、外部無線端末４００(装置Ｂ)が条件の悪い場所で通信を続け、パソコン(装置Ａ)から充電が追いつかない場合においても、外部無線端末の充電を行う。
II)パソコン３００(装置Ａ)がＡＣアダプターと接続されてない場合  
現在あるノート型のパソコン(装置Ａ)の通常のモデルであれば、約３時間位は内蔵バッテリーで駆動することができる。外部無線端末(装置Ｂ)の方は、約１〜３時間程は内蔵バッテリーで駆動することができる。最終的には、バッテリーがパソコン３００(装置Ａ)のみに、数分の残量が残ることが望ましい。これは、パソコン(装置Ａ)に最終的に電池残量があれば、ユーザに外部無線端末(装置Ｂ)の電池が空になったことを報知できるためである。これとともに、無制限に外部無線端末(装置Ｂ)に充電を行った場合、パソコン(装置Ａ)の電池がなくなり、外部無線端末(装置Ｂ)が十分に充電されていることが想定される。
【００５０】
このために、パソコン(装置Ａ)は１分に１回程度、電池残量を外部無線端末(装置Ｂ)に報知することとする。パソコン(装置Ａ)の電池残量の半分程度が外部無線装置(装置Ｂ)の電池残量になるように制御を行う。この制御はパソコン(装置Ａ)の電池残量が３０％程までとなるように、制御を行う。パソコン(装置Ａ)の電池残量が３０％を切った後は、使用アプリケーションにより充電を行うか否かを決定する。  
【００５１】
ＷＥＢ閲覧ソフトを使用している場合は、瞬間的には広帯域を必要とするが、平均すると帯域はそれほど大きくなくて、外部無線端末(装置Ｂ)の消費電流も多く使用されるというわけではない。したがって、この場合には、外部無線端末(装置Ｂ)は、ある程度の時間の通信はできると予想されるので、パソコン(装置Ａ)から外部無線端末(装置Ｂ)には充電を行わない。
【００５２】
使用しているアプリケーションがダウンロード(ＦＴＰやＨＴＭＬダウンロード)やストリーミングを行う場合には(図４(２)を参照)、連続的に広帯域を使用し、それが一定時間続くことになる。したがって、この場合には、外部無線端末(装置Ｂ)の消費電力が大きいので、引き続き、パソコン(装置Ａ)の電池残量１０％になるまで、パソコン(装置Ａ)の電池残量の比率の、その半分の比率の電池残量になるように、パソコン(装置Ａ)から外部無線端末(装置Ｂ)に充電を行う。  
【００５３】
その後、パソコン(装置Ａ)の電池残量が１０％を切ったら(外部無線端末(装置Ｂ)の充電量は５％)、充電はそれ以上行わない。このようにして、パソコン(装置Ａ)よりも外部無線装置(装置Ｂ)の方が先に電池切れすることとなる。  
【００５４】
なお、ブラウジングまたはインターネット接続していない場合は、充電を行わないようにするとよい(図４(３)を参照)。
【００５５】
このように、パソコンよりも外部無線端末が先に電池残量がなくなるよう制御できるので、パソコンからユーザに外部無線端末の電池残量が無いことを知らせることができる。
【００５６】
また、制御のためのデータやり取りも頻繁に行う必要がなく、１分に１回程度で済むために、実際の転送レートを落とすことがない。
【図面の簡単な説明】
【００５７】
【図１】本発明の第１の実施例を示す図であり、(１)は携帯電話機(Ａ１)−携帯端末(Ｂ１)の構成を示し、(２)は表示部における情報表示の一例を示す。
【図２】本発明の第１の実施例を説明するための動作フローチャートである。
【図３】本発明の第２の実施例を示す図であり、(１)は装置Ａ−装置Ｂの構成を示し、(２)は装置Ａから装置Ｂへの給電の様子の一例を示す。
【図４】本発明の第３の実施例を示す図であり、(１)はノート型のパソコン(装置Ａ)−外部無線端末(装置Ｂ)の構成を示し、(２)は給電(充電)方法の一例を、(３)は給電(充電)方法の別の例を、それぞれ示す。
【符号の説明】
【００５８】
１００    携帯電話機(装置Ａ)
２００    携帯端末(装置Ｂ)
１１      電池(装置Ａ) 
１２      Ａ／Ｄ変換部(装置Ａ)
１３      主制御部(装置Ａ)
１４      電源制御部(装置Ａ)
１５      表示部(装置Ａ)
１６      接続制御部(装置Ａ)
２１      電池(装置Ｂ)
２２      Ａ／Ｄ変換部(装置Ｂ)
２３      主制御部(装置Ｂ)
２４      電源制御部(装置Ｂ)
２５      表示部(装置Ｂ)
２６      接続制御部(装置Ｂ)
３０      接続手段(インタフェース手段)
３１、３２    信号
４１、４２    表示部における表示例
Ｓ１    装置Ａと装置Ｂを含む電子装置給電システム
Ｉ、II、III、IV、Ｖ、VI    給電の段階
３００    パソコン(装置Ａ)
４００    外部携帯端末(装置Ｂ)
【図１】
2008165818.tif 000003
【図２】
2008165818.tif 000004
【図３】
2008165818.tif 000005
【図４】
2008165818.tif 000006